(57)【要約】      （修正有）【課題】太陽光発電、風力発電、水力発電などの小電力発電装置を利用した、ホールインワンの確認の為のシステムを提供する。【解決手段】消費電力を小さくするために、カート又はプレーヤの検出信号で電力の供給が開始されて、ティーエリアからゴルフプレーヤがいなくなると電力供給が止まる制御システムで、専用録画装置及び有線または無線の通信手段による画像伝送を省き、ティーエリア用カメラの録画データとグリーン用カメラの録画データを、それぞれのカメラに内蔵する録画媒体に記録し、ティーエリア用カメラの録画データとグリーン用カメラの録画データを回収して、画像を結合するソフトが内蔵された同一コンピュータ内に取り込み、ティーエリア用カメラの録画データとグリーン用カメラの録画データの中で時刻の合致する録画データを１画面内に動画で同時に２分割再生表示して、ホールインワンを確認するホールインワン確認システム及びそのカメラ。【選択図】図１
2013248381.tif 000002
【特許請求の範囲】
【請求項１】
ティーエリアのプレーヤの動画像を撮像可能なように配置されたティーエリア用カメラ、カップの有るグリーンの動画像を撮像可能なように配置されたグリーン用カメラは、太陽光発電装置、風力発電装置又は水力発電装置の少なくとも１つの小電力発電装置の電力で稼働し、それらのティーエリア用カメラとグリーン用カメラは、年月日と時及び分並びに秒からなる秒単位の時刻の時刻データ、及び画像データを、それぞれのカメラに内蔵した記録媒体に、ティーエリア用カメラの録画データ並びにグリーン用カメラの録画データとして記録して、ティーエリア用カメラの記録された録画データとグリーン用カメラの記録された録画データを回収して、画像を結合するソフトが内蔵された同一コンピュータ内に取り込み、ティーエリア用カメラの録画データ内の時刻データとグリーン用カメラの録画データ内の時刻データが一致した同一時刻のティーエリア用カメラの録画画像とグリーン用カメラの録画画像を１画面上に動画で同時に２分割表示して、ホールインワンを確認するホールインワン確認システム及びそのカメラ。
【請求項２】
録画データはカメラ名、年月日と時及び分並びに秒からなる時刻データ、及び画像データで構成され、ティーエリア用カメラの録画データの毎秒当たりの録画フレーム数とグリーン用カメラの録画データの毎秒当たりの録画フレーム数とが異なっていても、それぞれの録画データ内の録画開始時刻並びに録画終了時刻が異なっていても、それぞれのデータに時刻の合致する範囲のデータが存在すれば１画面内に動画で同時に２分割再生表示する、請求項目１のホールインワン確認システム及びそのカメラ。
【請求項３】
ゴルフコースにおいて、ティーエリアのプレィヤーの画像を撮像可能なように設置されたティーエリア用カメラと、カップの有るグリーンの画像を撮像可能なように配置されたグリーン用カメラを、小電力発電装置で支障なく稼働させる為に、カメラへの電力供給は撮像する時に、前記各発電装置及び発電装置に付随した蓄電池から各カメラに電力を供給するように、各装置への電力供給開始と停止は、ティーグランドに入るプレィヤーの体重、又は身体の移動により、圧電発電装置に電力を発生させて、圧電発電装置の起電力で電力供給を制御する電力供給制御装置の電力供給開始スイッチをＯＮ、又はマットスイッチ、あるいはカートコース及びティーエリア付近の監視パッシブセンサーがＯＮになると電力供給制御装置の電力供給開始スイッチがＯＮになり電力を供給を開始して、電力供給制御装置は始動後の一定時間を経過する、又はティーエリアにプレーヤーがいなくなると電力供給を停止する請求項目１又は請求項目２からなるホールインワン確認システム及びそのカメラ。
【請求項４】
ティーエリア用カメラとグリーン用カメラは録画データの不正な編集や不正な作成を防止する為に、録画データ内に不正防止用ランダムコードを書き込む機能を有する請求項目１、請求項目２又は請求項目３からなるホールインワン確認システム及びそのカメラ。
【請求項５】
ティーエリア用カメラとグリーン用カメラは其々の録画データ内に音声を録音する機能を有する請求項目１、請求項目２、請求項目３又は請求項目４からなるホールインワン確認システム及びそのカメラ。
【発明の詳細な説明】
【技術分野】
【０００１】
太陽光発電、水力発電、風力発電、圧電発電などの自然エネルギィーを利用した小電力発電装置による電力によって稼働するホールインワン確認システムにおいて、ティーエリア用カメラで撮像した動画像、及びグリーン用カメラで撮像した動画像を、それぞれのカメラに内蔵された記録媒体に録画データとして記録し、前記それぞれ別個の記録媒体に記録された録画データを回収して、同一コンピュータ内に取り込んで、それぞれのデータに記録された時刻データの中の同一の時刻の動画像を１画面内に同時に再生し２分割表示をすることによる、ホールインワン確認システム及びそのカメラに関するものである。
【背景技術】
【０００２】
従来の技術は、システムの稼働電力を商用電源とし、複数カメラで撮像した動画像は有線又は無線の通信手段を用いて、同一録画装置内に取り込み、録画して、複数カメラの録画像の再生を１画面内に分割表示することを可能にしている。
【０００３】
しかし、広大なゴルフ場においては、電気配線及び通信回線の施工に費用が掛かる欠点がある。
【先行技術文献】
【特許文献】
【０００４】
【特許文献１】特開  ２００９−１５９５１５号公報
【特許文献２】特開  ２００８−２８５９１８号公報
【特許文献３】特開  ２００８−１６７２４５号公報
【特許文献４】特開  ２００４−１８５４８２号公報
【特許文献５】特開  ２００４−０４６６４８号公報
【特許文献６】特開  ２００３−１１１８８２号公報
【発明の概要】
【発明が解決しようとする課題】
【０００５】
解決しようとする問題点は、ホールインワン確認システムの稼働電力に商用電源に替わって、太陽光発電、風力発電、水力発電、圧電発電などの小規模小型の小電力発電装置を用いて、これらの小電力でシステムを稼働することにある。
【０００６】
ティーエリア用カメラやグリーン用カメラが撮像した動画像を遠隔地に設置された録画装置に伝送することに替わって、ティーエリア用カメラやグリーン用カメラが撮像した動画像を、それぞれのカメラの中に録画保存して、ティーエリア用カメラやグリーン用カメラの中に、それぞれ別々に録画保存された録画データを同一のコンピュータ上で同一時間帯に撮像された動画像を同時に２分割再生することにある。
【０００７】
ティーエリア用カメラやグリーン用カメラの録画データを不正に修正や作成できないようにすることにある。
【課題を解決するための手段】
【０００８】
消費電力を少なくするために、カートがコースに近づいた時にセンサーがカートを感知すると、システムの電源が入り、ティーエリア用カメラとグリーン用カメラが録画を開始し、ゴルフプレーヤがティーエリアを去るとシステムの電源が切れる機能を持つ。
【０００９】
従来の技術の有線又は無線の画像の伝送手段に替わって、ティーエリア用カメラの録画データはティーエリア用カメラ内に保存し、グリーン用カメラの録画データはグリーン用カメラ内に保存してティーエリア用カメラ内の録画データとグリーン用カメラ内の録画データを、それぞれ記録媒体ごと回収、又は録画データを媒体に複写して回収する。
【００１０】
それぞれ別々に回収されたティーエリア用カメラの録画データとグリーン用カメラの録画データを、画像を結合するソフトが内蔵されたコンピュータ内に取り込み、ティーエリア用カメラの録画データ内の時刻データとグリーン用カメラの録画データ内の時刻データが一致した同一時刻のティーエリア用カメラの録画画像、及びグリーン用カメラの録画画像を１画面上に同時に２分割再生表示し、プレィヤー又はプレィヤーの同伴者から申請のあった時間帯のホールインワンを確認する。  
【００１１】
ティーエリア用カメラ内の時刻とグリーン用カメラ内の時刻を合わせる為に、ティーエリア用カメラとグリーン用カメラはＮＴＰサーバより時刻を取得する機能を持つ。  
【００１２】
画像の不正編集や不正作成防止対策としてティーエリア用カメラとグリーン用カメラは管理サーバーより画像不正作成防止用ランダムコードを取得して録画データ内に画像不正作成防止用ランダムコードをティーエリア用カメラの録画データ内とグリーン用カメラの録画データ内に書き込む機能を有する。
【発明の効果】
【００１３】
太陽光発電、風力発電、水力発電、圧電発電などの小電力発電装置で稼働する簡素で小型なホールインワン確認システムを構築できる。
【図面の簡単な説明】
【００１４】
【図１】発電装置とカメラと圧電発電装置の外観図
【図２】発電装置とカメラとパッシブセンサーの外観図
【図３】電力供給制御装置のリレーシケンス回路図の説明図
【図４】リレーシケンス回路のタイムチャートの説明図
【発明を実施するための形態】
【００１５】
図１は、太陽光発電装置（Ps）、水力発電装置（Pwat）、風力発電装置（Pwin）で発電された電力を蓄電池（Pb）に蓄え、圧電発電装置（Pv）をプレーヤが踏むことによる起電力で電力供給制御装置（Pc）のスイッチが入り、ティーエリア用カメラ（Tk）とグリーン用カメラ（Gk）に電力が供給されてティーエリア用カメラ（Tk）に内蔵されたティーエリア用カメラ（Tk）の録画装置（Tr）とグリーン用カメラ（Gk）に内蔵されたグリーン用カメラ（Gk）の録画装置（Gr）に其々の録画を行うシステムの形態です。
2013248381.tif 000003
【００１６】
図２、図３、図４では、制御装置収納箱（Pcnt）は、発電装置の為のチャージコントローラ、蓄電池（Pb）、電力供給制御装置（Pc）及びルーター（Rout）とモバイル通信端末機を内蔵し、電力供給制御装置（Pc）は回路保持第一リレー（Ry1）、回路保持第二リレー（Ry2）、回路保持第三リレー（Ry3）、Ｖ１保持ディレーリレー（Dry1）、Ｖ２保持プログラマブルリレー（PrgRy1）、プログラマブルタイマ１（PrgT1）、プログラマブルタイマ２（PrgT2）で構成される装置で、
2013248381.tif 000004
カートコース上に施設されたベルトスイッチ（BSW）上をカートが通過すると、ベルトスイッチ(BSW)がＯＮになり、又はマットスイッチ（MSW））上にプレーヤーが乗るとマットスイッチ（MSW）の出力がＯＮになり、又は、カートコース及びティエリア付近の監視用のパッシブセンサー１（Ps1）がカートやプレーヤを検出するとパッシブセンサー１出力（Ps1out ）がＯＮになり、  回路保持第一リレー（Ry1）が作動して、回路保持第一リレー(Ry1)、Ｖ１保持ディレーリレー（Dry1）、ティーエリア用カメラ(Tk)、グリーン用カメラ(Gk)、パッシブセンサー２（Ps2）、Ｖ２保持プログラマブルリレー（PrgRy1）に電力が供給される。  
2013248381.tif 000005
【００１７】
Ｖ１保持ディレーリレー（DRy1）は電力が供給されるとディレ―タイマーのカウントを開始して、設定された時間（t1）が経過するとＶ１保持ディレーリレー（DRy1）のb接点スイッチを閉から開にして、回路を開放して電力供給を停止する。  
【００１８】
Ｖ１の電力が供給されている間にティーエリア(T)監視用のパッシブセンサー２(Ps2)が、ティエリア（T）のプレーヤを検知するとパッシブセンサー２出力 (Ps2out)がＯＮになり、回路保持第二リレー(Ry2)が作動して、回路保持第二リレー(Ry2)、回路保持第三リレー（Ry3）に電力が供給される。  回路保持第三リレー(Ry3)が作動して、回路保持第一リレー(Ry1)、Ｖ１保持ディレーリレー（DRy1）、ティーエリア用カメラ(Tk)、グリーン用カメラ(Gk)、パッシブセンサー２（Ps2）、Ｖ２保持プログラマブルリレー（PrgRy1）に電力が供給される。  Ｖ２保持プログラマブルリレー（PrgRy1）のディレー時間(t2)内にパッシブセンサー２出力（Ps2out）がＯＮになると直近最後のパッシブセンサー２出力（Ps2out）のパルスの立ち下がりからＶ２保持プログラマブルリレー（PrgRy1）のディレー時間(t2)のカウントが始まり、Ｖ２は保持され続ける。
2013248381.tif 000006
【００１９】
プログラマブルタイマ１（PrgT1）が作動するとプログラマブルタイマ１（PrgT1）の３端子接点２重メーク接点がＯＮになり、回路保持第一リレー(Ry1)、Ｖ１保持ディレーリレー（DRy1）、ティーエリア用カメラ(Tk)、グリーン用カメラ(Gk)、パッシブセンサー２（Ps2）、Ｖ２保持プログラマブルリレー（PrgRy1）、ルーター（Rout）に電力が供給されると、ルーター（Rout）に取り付けられたモバイル通信端末機よりインターネット経由でＮＴＰサーバーに接続してティーエリア用カメラ(Tk)とリーン用カメラ(Gk)は標準時間を取得する。  また、ティーエリア用カメラ(Tk)とグリーン用カメラ(Gk)はインターネット経由で管理サーバに接続して、画像不正作成防止用ランダムコードを取得して録画データ内に画像不正作成防止用ランダムコードを、ティーエリア用カメラ（Tk）の録画データ内とグリーン用カメラ（Gk）の録画データ内に書き込む機能を有する。
【００２０】
ティーエリア用カメラ(Tk)とグリーン用カメラ(Gk)の録画データを媒体に複写して回収する場合は回収に使用する機器は回収したい時刻を入力すると回収したい時刻の前後の時刻の録画データーと回収したい時刻の録画データを回収することの出来る機能を有する。  
【００２１】
画像を結合するソフトが内蔵されたコンピュータ（PC）は取り込んだティーエリア用カメラ（Tk）の録画データとグリーン用カメラ（Gk）の録画データの長さや毎秒当たりの録画フレーム数が異なっていても、同一時刻の録画と音声を再生する機能を有する。
【００２２】
録画データは録画データの情報、カメラ名、時刻データ、不正防止ランダムコード、画像データ、及び音声データで構成される。
【００２３】
なお、本発明は、上記実施例に限定されるものではなく、例えば、以下のようなものも含まれる。
（１）  前記実施例では、太陽光発電などの自然エネルギーを電力源として使用したが、一般的な商用電源を使用することを妨げるものではない。
（２）  前記実施例では、録画データの収集は媒体に複写して回収した、又は記録媒体ごと回収したが、録画データの回収に有線又は無線の通信手段を使用することを妨げるものではない。
（３）  前記実施例では、ネットワークを経由して標準時間を取得した、又はインターネットを経由して、画像不正作成防止用ランダムコードを取得したが、標準時間、又は画像不正作成防止用ランダムコードを手動によりティーエリア用カメラ(Tk)又はグリーン用カメラ(Gk)に登録することを妨げるものではない。
【符号の説明】
【００２４】
Ｔ       ティエリア
Ｇ       グリーン
Ｃ       カップ
Tk      ティエリア用カメラ
Gk      グリーン用カメラ
PC      画像結合ソフトを内蔵するコンピュータ
Rout     ルーター
Ps       太陽光発電装置
Pwin     風力発電装置
Pwat     水力発電装置
Pv       圧電発電装置
Pb       蓄電池
Pc       電力供給制御装置
Pcnt     制御装置収納箱
BSW     ベルトスイッチ
MSW    マットスイッチ
V1       負荷（Ｒｙ１、ＴＴ１、Ｔｋ，Ｇｋ，Ｐａｓ２）に加わる電圧
V2       負荷（Ｒｙ２,Rｙ3）に加わる電圧
Ry1      回路保持第一リレー
Ry2      回路保持第二リレー
Ry3      回路保持第三リレー
Dry1     Ｖ１保持ディレーリレー
PrgRy1   Ｖ２保持プログラマブルリレー
PrgT1    プログラマブルタイマ１（ＮＴＳサーバ・管理サーバに接続時のみＯN）
PrgT2    プログラマブルタイマ２（ゴルフコース使用中ＯＮ）
Ps1      パッシブセンサー１（カートコース及びティエリア付近の監視）
Ps2      パッシブセンサー２(ティエリアの監視)
Ps1out   パッシブセンサー１出力
Ps2out   パッシブセンサー２出力
ｔ1     
Ｖ１保持ディレーリレー（ＤＲy1）のディレータイム
ｔ2     
Ｖ２保持プログラマブルリレー（ＰｒgＲｙ１）のディレータイム
【図１】
2013248381.tif 000007
【図２】
2013248381.tif 000008
【図３】
2013248381.tif 000009
【図４】
2013248381.tif 000010
【手続補正書】
【提出日】平成25年5月1日(2013.5.1)
【手続補正２】
【補正対象書類名】明細書
【補正対象項目名】全文
【補正方法】変更
【補正の内容】
【発明の詳細な説明】
【技術分野】
【０００１】
太陽光発電、水力発電、風力発電、圧電発電などの自然エネルギィーを利用した小電力発電装置による電力によって稼働するホールインワン確認システムにおいて、ティーエリア用カメラで撮像した動画像、及びグリーン用カメラで撮像した動画像を、それぞれのカメラに内蔵された記録媒体に録画データとして記録し、前記それぞれ別個の記録媒体に記録された録画データを回収して、同一コンピュータ内に取り込んで、それぞれのデータに記録された時刻データの中の同一の時刻の動画像を１画面内に同時に再生し２分割表示をすることによる、ホールインワン確認システム及びそのカメラに関するものである。
【背景技術】
【０００２】
従来の技術は、システムの稼働電力を商用電源とし、複数カメラで撮像した動画像は有線又は無線の通信手段を用いて、同一録画装置内に取り込み、録画して、複数カメラの録画像の再生を１画面内に分割表示することを可能にしている。
【０００３】
しかし、広大なゴルフ場においては、電気配線及び通信回線の施工に費用が掛かる欠点がある。
【先行技術文献】
【特許文献】
【０００４】
【特許文献１】特開  ２００９−１５９５１５号公報
【特許文献２】特開  ２００８−２８５９１８号公報
【特許文献３】特開  ２００８−１６７２４５号公報
【特許文献４】特開  ２００４−１８５４８２号公報
【特許文献５】特開  ２００４−０４６６４８号公報
【特許文献６】特開  ２００３−１１１８８２号公報
【発明の概要】
【発明が解決しようとする課題】
【０００５】
解決しようとする問題点は、ホールインワン確認システムの稼働電力に商用電源に替わって、太陽光発電、風力発電、水力発電、圧電発電などの小規模小型の小電力発電装置を用いて、これらの小電力でシステムを稼働することにある。
【０００６】
ティーエリア用カメラやグリーン用カメラが撮像した動画像を遠隔地に設置された録画装置に伝送することに替わって、ティーエリア用カメラやグリーン用カメラが撮像した動画像を、それぞれのカメラの中に録画保存して、ティーエリア用カメラやグリーン用カメラの中に、それぞれ別々に録画保存された録画データを同一のコンピュータ上で同一時間帯に撮像された動画像を同時に２分割再生することにある。
【０００７】
ティーエリア用カメラやグリーン用カメラの録画データを不正に修正や作成できないようにすることにある。
【課題を解決するための手段】
【０００８】
消費電力を少なくするために、カートがコースに近づいた時にセンサーがカートを感知すると、システムの電源が入り、ティーエリア用カメラとグリーン用カメラが録画を開始し、ゴルフプレーヤがティーエリアを去るとシステムの電源が切れる機能を持つ。
【０００９】
従来の技術の有線又は無線の画像の伝送手段に替わって、ティーエリア用カメラの録画データはティーエリア用カメラ内に保存し、グリーン用カメラの録画データはグリーン用カメラ内に保存してティーエリア用カメラ内の録画データとグリーン用カメラ内の録画データを、それぞれ記録媒体ごと回収、又は録画データを媒体に複写して回収する。
【００１０】
それぞれ別々に回収されたティーエリア用カメラの録画データとグリーン用カメラの録画データを、画像を結合するソフトが内蔵されたコンピュータ内に取り込み、ティーエリア用カメラの録画データ内の時刻データとグリーン用カメラの録画データ内の時刻データが一致した同一時刻のティーエリア用カメラの録画画像、及びグリーン用カメラの録画画像を１画面上に同時に２分割再生表示し、プレィヤー又はプレィヤーの同伴者から申請のあった時間帯のホールインワンを確認する。  
【００１１】
ティーエリア用カメラ内の時刻とグリーン用カメラ内の時刻を合わせる為に、ティーエリア用カメラとグリーン用カメラはＮＴＰサーバより時刻を取得する機能を持つ。  
【００１２】
画像の不正編集や不正作成防止対策としてティーエリア用カメラとグリーン用カメラは管理サーバより画像不正作成防止用ランダムコードを取得して録画データ内に画像不正作成防止用ランダムコードをティーエリア用カメラの録画データ内とグリーン用カメラの録画データ内に書き込む機能を有する。
【発明の効果】
【００１３】
太陽光発電、風力発電、水力発電、圧電発電などの小電力発電装置で稼働する簡素で小型なホールインワン確認システムを構築できる。
【図面の簡単な説明】
【００１４】
【図１】発電装置とカメラと圧電発電装置の外観図
【図２】発電装置とカメラとパッシブセンサーの外観図
【図３】電力供給制御装置のリレーシケンス回路図の説明図
【図４】リレーシケンス回路のタイムチャートの説明図
【発明を実施するための形態】
【００１５】
図１は、太陽光発電装置（Ps）、水力発電装置（Pwat）、風力発電装置（Pwin）で発電された電力を蓄電池（Pb）に蓄え、圧電発電装置（Pv）をプレーヤが踏むことによる起電力で電力供給制御装置（Pc）のスイッチが入り、ティーエリア用カメラ（Tk）とグリーン用カメラ（Gk）に電力が供給されてティーエリア用カメラ（Tk）に内蔵されたティーエリア用カメラ（Tk）の録画装置（Tr）とグリーン用カメラ（Gk）に内蔵されたグリーン用カメラ（Gk）の録画装置（Gr）に其々の録画を行うシステムの形態です。
【００１６】
図２、図３、図４では、制御装置収納箱（Pcnt）は、発電装置の為のチャージコントローラ、蓄電池（Pb）、電力供給制御装置（Pc）及びルーター（Rout）とモバイル通信端末機を内蔵し、電力供給制御装置（Pc）は回路保持第一リレー（Ry1）、回路保持第二リレー（Ry2）、回路保持第三リレー（Ry3）、Ｖ１保持ディレーリレー（Dry1）、Ｖ２保持プログラマブルリレー（PrgRy1）、プログラマブルタイマ１（PrgT1）、プログラマブルタイマ２（PrgT2）で構成される装置で、カートコース上に施設されたベルトスイッチ（BSW）上をカートが通過すると、ベルトスイッチ(BSW)がＯＮになり、又はマットスイッチ（MSW）上にプレーヤーが乗るとマットスイッチ（MSW）の出力がＯＮになり、又は、カートコース及びティエリア付近の監視用のパッシブセンサー１（Ps1）がカートやプレーヤを検出するとパッシブセンサー１出力（Ps1out ）がＯＮになり、  回路保持第一リレー（Ry1）が作動して、回路保持第一リレー(Ry1)、Ｖ１保持ディレーリレー（Dry1）、ティーエリア用カメラ(Tk)、グリーン用カメラ(Gk)、パッシブセンサー２（Ps2）、Ｖ２保持プログラマブルリレー（PrgRy1）に電力が供給される。  
【００１７】
Ｖ１保持ディレーリレー（DRy1）は電力が供給されるとディレータイマーのカウントを開始して、設定された時間（t1）が経過するとＶ１保持ディレーリレー（DRy1）のb接点スイッチを閉から開にして、回路を開放して電力供給を停止する。  
【００１８】
Ｖ１の電力が供給されている間にティーエリア(T)監視用のパッシブセンサー２(Ps2)が、ティエリア（T）のプレーヤを検知するとパッシブセンサー２出力 (Ps2out)がＯＮになり、回路保持第二リレー(Ry2)が作動して、回路保持第二リレー(Ry2)、回路保持第三リレー（Ry3）に電力が供給される。  回路保持第三リレー(Ry3)が作動して、回路保持第一リレー(Ry1)、Ｖ１保持ディレーリレー（DRy1）、ティーエリア用カメラ(Tk)、グリーン用カメラ(Gk)、パッシブセンサー２（Ps2）、Ｖ２保持プログラマブルリレー（PrgRy1）に電力が供給される。  Ｖ２保持プログラマブルリレー（PrgRy1）のディレー時間(t2)内にパッシブセンサー２出力（Ps2out）がＯＮになると直近最後のパッシブセンサー２出力（Ps2out）のパルスの立ち下がりからＶ２保持プログラマブルリレー（PrgRy1）のディレー時間(t2)のカウントが始まり、Ｖ２は保持され続ける。
【００１９】
プログラマブルタイマ１（PrgT1）が作動するとプログラマブルタイマ１（PrgT1）の３端子接点２重メーク接点がＯＮになり、回路保持第一リレー(Ry1)、Ｖ１保持ディレーリレー（DRy1）、ティーエリア用カメラ(Tk)、グリーン用カメラ(Gk)、パッシブセンサー２（Ps2）、Ｖ２保持プログラマブルリレー（PrgRy1）、ルーター（Rout）に電力が供給されると、ルーター（Rout）に取り付けられたモバイル通信端末機よりインターネット経由でＮＴＰサーバに接続してティーエリア用カメラ(Tk)とリーン用カメラ(Gk)は標準時間を取得する。  また、ティーエリア用カメラ(Tk)とグリーン用カメラ(Gk)はインターネット経由で管理サーバに接続して、画像不正作成防止用ランダムコードを取得して録画データ内に画像不正作成防止用ランダムコードを、ティーエリア用カメラ（Tk）の録画データ内とグリーン用カメラ（Gk）の録画データ内に書き込む機能を有する。
【００２０】
ティーエリア用カメラ(Tk)とグリーン用カメラ(Gk)の録画データを媒体に複写して回収する場合は回収に使用する機器は回収したい時刻を入力すると回収したい時刻の前後の時刻の録画データと回収したい時刻の録画データを回収することの出来る機能を有する。  
【００２１】
画像を結合するソフトが内蔵されたコンピュータ（PC）は取り込んだティーエリア用カメラ（Tk）の録画データとグリーン用カメラ（Gk）の録画データの長さや毎秒当たりの録画フレーム数が異なっていても、同一時刻の録画と音声を再生する機能を有する。
【００２２】
録画データは録画データの情報、カメラ名、時刻データ、不正防止ランダムコード、画像データ、及び音声データで構成される。
【００２３】
なお、本発明は、上記実施例に限定されるものではなく、例えば、以下のようなものも含まれる。
（１）  前記実施例では、太陽光発電などの自然エネルギーを電力源として使用したが、一般的な商用電源を使用することを妨げるものではない。
（２）  前記実施例では、録画データの収集は媒体に複写して回収した、又は記録媒体ごと回収したが、録画データの回収に有線又は無線の通信手段を使用することを妨げるものではない。
（３）  前記実施例では、ネットワークを経由して標準時間を取得した、又はインターネットを経由して、画像不正作成防止用ランダムコードを取得したが、標準時間、又は画像不正作成防止用ランダムコードを手動によりティーエリア用カメラ(Tk)又はグリーン用カメラ(Gk)に登録することを妨げるものではない。
【符号の説明】
【００２４】
Ｔ       ティーエリア
Ｇ       グリーン
Ｃ       カップ
Tk      ティーエリア用カメラ
Gk      グリーン用カメラ
PC      画像結合ソフトを内蔵するコンピュータ
Rout     ルーター
Ps       太陽光発電装置
Pwin     風力発電装置
Pwat     水力発電装置
Pv       圧電発電装置
Pb       蓄電池
Pc       電力供給制御装置
Pcnt     制御装置収納箱
BSW     ベルトスイッチ
MSW    マットスイッチ
V1       負荷（Ｒｙ１、ＴＴ１、Ｔｋ，Ｇｋ，Ｐａｓ２）に加わる電圧
V2       負荷（Ｒｙ２,Rｙ3）に加わる電圧
Ry1      回路保持第一リレー
Ry2      回路保持第二リレー
Ry3      回路保持第三リレー
Dry1     Ｖ１保持ディレーリレー
PrgRy1   Ｖ２保持プログラマブルリレー
PrgT1    プログラマブルタイマ１（ＮＴＳサーバ・管理サーバに接続時のみＯN）
PrgT2    プログラマブルタイマ２（ゴルフコース使用中ＯＮ）
Ps1      パッシブセンサー１（カートコース及びティエリア付近の監視）
Ps2      パッシブセンサー２(ティエリアの監視)
Ps1out   パッシブセンサー１出力
Ps2out   パッシブセンサー２出力
ｔ1     
Ｖ１保持ディレーリレー（ＤＲy1）のディレータイム
ｔ2     
Ｖ２保持プログラマブルリレー（ＰｒgＲｙ１）のディレータイム